(57)【要約】      （修正有）【課題】電気的接触状態が不安定になることを解決する。【解決手段】圧着端子を載置する平板状の基部１ａと、前記基部に平行にして一方向から挿入され当該基部上に載置される前記圧着端子を挟持するように形成される弾性片でその先端に前記圧着端子に押圧して接続される接続部が形成されている接続用端子１ｂと、前記圧着端子が前記基部に平行に挿入される際に該圧着端子によって付勢力に抗して前記基部より下面に押し下げられ、前記圧着端子が所定の位置に至ると付勢力によって前記基部から上面に突出されて前記圧着端子に係止して当該圧着端子の抜け止め部材とすべく、基部から直交する方向に切り起こされた切起し部１ｆを有する抜止め係止片１ｅと、前記圧着端子と前記抜止め係止片との係止状態を解除するように設けられている弾性係止解除片１ｈと、を少なくとも有してなる圧着端子用コンタクト１とする。【選択図】図１
2015118790.tif 000002
【特許請求の範囲】
【請求項１】
平板体で取付用の孔若しくはスリットが設けられている圧着端子を電気的に接続させるためのコンタクトにおいて、
前記圧着端子を載置する平板状の基部と、
前記基部に平行にして一方向から挿入され当該基部上に載置される前記圧着端子を挟持するように形成される弾性片でその先端に前記圧着端子に押圧して接続される接続部が形成されている接続用端子と、
前記圧着端子が前記基部に平行に挿入される際に該圧着端子によって付勢力に抗して前記基部より下面に押し下げられ、前記圧着端子が所定の位置に至ると付勢力によって前記基部から上面に突出されて前記圧着端子に係止して当該圧着端子の抜け止め部材とすべく、基部から直交する方向に切り起こされた切起し部を有する抜止め係止片と、
前記圧着端子と前記抜止め係止片との係止状態を解除するように設けられている弾性係止解除片と、を少なくとも有してなること、
を特徴とする圧着端子用コンタクト。
【請求項２】
抜止め係止片の切起し部には、圧着端子が基部に平行に挿入されたときに、該圧着端子の板厚の側壁に当接され、付勢力に抗して切起し部が前記基部の上面以下に押し下げられるようにする、テーパ部が設けられていること、
を特徴とする請求項１に記載の圧着端子用コンタクト。
【請求項３】
弾性係止解除片は、抜止め係止片の先端部であって圧着端子がコンタクトに挿入される挿入部と反対の奥側において、基部の平坦面に直交する方向に立設して形成されると共に、該立設された部分の立設部が、基部と接続用端子との間に挿入された圧着端子の行き止めとなる行き止め部として兼用されていること、
を特徴とする請求項１または２に記載の圧着端子用コンタクト。
【請求項４】
弾性係止解除片は、抜止め係止片の先端部であって圧着端子がコンタクトに挿入される挿入部の近傍に形成され、前記圧着端子と平行で且つ下側で前記挿入部に挿入される解除用治具によって、付勢力に抗して切起し部が前記基部の上面以下に押し下げらるように押圧される、テーパ状の腕部であること、
を特徴とする請求項１または２に記載の圧着端子用コンタクト。
【請求項５】
抜止め係止片の切起し部は、前記圧着端子が抜け難くなるように、圧着端子の板厚方向の側壁に対して傾斜していて、前記切起し部の上部が当接する様に形成されていること、
を特徴とする請求項１乃至４のいずれか１項に記載の圧着端子用コンタクト。
【請求項６】
請求項１乃至５のいずれか１項に記載の圧着端子用コンタクトを、合成樹脂製ハウジングに一体的に有する電気コネクタであって、ケーブルの圧着端子を前記圧着端子用コンタクトに挟持させるために挿入させる挿入用開口部と、ケーブルの脱着時には前記圧着端子用コンタクトの弾性係止解除片を解除用治具で解除操作するために、前記挿入用開口部と直交する方向、若しくは、平行する方向に開口された解除用開口部を有すること、
を特徴とするケーブル用電気コネクタ。
【請求項７】
請求項１乃至５のいずれか１項に記載の圧着端子用コンタクトを、合成樹脂製ハウジングに一体的に有する電気コネクタであって、
圧着端子の挿入方向と解除方向とが直交するタイプの圧着端子用コンタクトと平行するタイプの圧着端子用コンタクトとを、
(1)  同種または異種の圧着端子用コンタクトを上下に重ねて基板実装タイプのコネクタに形成したこと、
(2)  若しくは、同種または異種の圧着端子用コンタクトを上下に重ねるとともに、対向して同種または異種の圧着端子用コンタクトを一つ、または、上下に重ねて配設して中継タイプに形成したこと、
を特徴とする請求項６に記載のケーブル用電気コネクタ。
【発明の詳細な説明】
【技術分野】
【０００１】
本発明は、ケーブルの一端部に圧着端子を有したケーブルを電気的に接続する際に使用される圧着端子用コンタクトと、圧着端子を有するケーブルを中継したり基板・機器等に接続したりするケーブル用電気コネクタに関するものである。
【背景技術】
【０００２】
従来、ケーブルの一端部に丸形等の圧着端子が取付けられたケーブルを、電気的にケーブル同士を接続する場合、若しくは、ケーブルと基板等とを接続する場合に、端子台としてのケーブル用電気コネクタが使用される。
【０００３】
このケーブル用電気コネクタの接続構造は、圧着端子の挿入部とネジ固定部とが有り、前記圧着端子の丸孔若しくはＵ字形、Ｙ形もしくは角先開形のスリットに、ネジを挿通させネジ止めすることで、ケーブルをケーブル用電気コネクタに固定するものである。
【０００４】
また、他の例として、ネジ止めしない例として、特許文献１に示す様に、ケーブルの圧着端子同士を上下で、且つ、平行に配置して重複させ、その重複した範囲内において金属製弾性部材で前記圧着端子同士の接触部で挟圧させることで、電気的接触を図るものが知られている。
【先行技術文献】
【特許文献】
【０００５】
【特許文献１】特開２０１２−５９３６６号公報
【発明の概要】
【発明が解決しようとする課題】
【０００６】
しかし、従来のケーブル用電気コネクタでは、ネジ締めのために、ネジ締め工数やトルク管理があるので、作業者の熟練度によってネジの締め忘れや締め付け管理不足などの作業のムラが生じやすい。更に、ネジ締め付け後の緩みなどで電気的接続が不安定になるおそれもある。また、前記他の例においては、重複した圧着端子同士の弾性部材を挟圧しての電気的接続では、圧着端子同士の接続にその用途が限定されていて、基板上や機器上のコネクタとして単独に圧着端子付きケーブルを接続できないという制約がある。本発明に係るケーブル用電気コネクタは、このような課題を解決するために提案されたものである。
【課題を解決するための手段】
【０００７】
本発明に係る圧着端子用コンタクトの上記課題を解決して目的を達成するための要旨は、平板体で取付用の孔若しくはスリットが設けられている圧着端子を電気的に接続させるためのコンタクトにおいて、前記圧着端子を載置する平板状の基部と、前記基部に平行にして一方向から挿入され当該基部上に載置される前記圧着端子を挟持するように形成される弾性片でその先端に前記圧着端子に押圧して接続される接続部が形成されている接続用端子と、前記圧着端子が前記基部に平行に挿入される際に該圧着端子によって付勢力に抗して前記基部より下面に押し下げられ、前記圧着端子が所定の位置に至ると付勢力によって前記基部から上面に突出されて前記圧着端子に係止して当該圧着端子の抜け止め部材とすべく、基部から直交する方向に切り起こされた切起し部を有する抜止め係止片と、前記圧着端子と前記抜止め係止片との係止状態を解除するように設けられている弾性係止解除片と、を少なくとも有してなることである。
【０００８】
前記抜止め係止片の切起し部には、圧着端子が基部に平行に挿入されたときに、該圧着端子の板厚の側壁に当接され、付勢力に抗して切起し部が前記基部の上面以下に押し下げられるようにする、テーパ部が設けられていることである。
【０００９】
前記弾性係止解除片は、抜止め係止片の先端部であって圧着端子がコンタクトに挿入される挿入部と反対の奥側において、基部の平坦面に直交する方向に立設して形成されると共に、該立設された部分の立設部が、基部と接続用端子との間に挿入された圧着端子の行き止めとなる行き止め部として兼用されていることである。
【００１０】
前記弾性係止解除片は、抜止め係止片の先端部であって圧着端子がコンタクト挿入される挿入部の近傍に形成され、前記圧着端子と平行で且つ下側で前記挿入部に挿入される解除用治具によって、付勢力に抗して切起し部が前記基部の上面以下に押し下げらるように押圧される、テーパ状の腕部であることである。
【００１１】
前記抜止め係止片の切起し部は、前記圧着端子が抜け難くなるように、圧着端子の板厚方向の側壁に対して傾斜していて、前記切起し部の上部が当接する様に形成されていることを含むものである。
【００１２】
本発明に係るケーブル用電気コネクタの上記課題を解決して目的を達成するための要旨は、請求項１乃至５のいずれか１項に記載の圧着端子用コンタクトを、合成樹脂製ハウジングに一体的に有する電気コネクタであって、ケーブルの圧着端子を前記圧着端子用コンタクトに挟持させるために挿入させる挿入用開口部と、ケーブルの脱着時には前記圧着端子用コンタクトの弾性係止解除片を解除用治具で解除操作するために、前記挿入用開口部と直交する方向、若しくは、平行する方向に開口された解除用開口部を有することである。
【００１３】
また、請求項１乃至５のいずれか１項に記載の圧着端子用コンタクトを、合成樹脂製ハウジングに一体的に有する電気コネクタであって、
圧着端子の挿入方向と解除方向とが直交するタイプの圧着端子用コンタクトと平行するタイプの圧着端子用コンタクトとを、
（１）  同種または異種の圧着端子用コンタクトを上下に重ねて基板実装タイプのコネクタに形成したこと、
（２）  若しくは、同種または異種の圧着端子用コンタクトを上下に重ねるとともに、対向して同種または異種の圧着端子用コンタクトを一つ、または、上下に重ねて配設して中継タイプに形成したこと、を含むものである。
【発明の効果】
【００１４】
本発明の圧着端子用コンタクトと、ケーブル用電気コネクタによれば、圧着端子の接続にネジを使用せず、接続部に差し込んでロックさせるだけのワンタッチ接続構造なので、簡単に接続させることができて、ネジの締め忘れや緩みが無く、ネジの締め付け管理が不要となり、確実に接続されるとともに、電気的接続状態も安定すると言う優れた効果を奏するものである。
【図面の簡単な説明】
【００１５】
【図１】本発明に係る垂直タイプの圧着端子用コンタクト１の全体斜視図（Ａ）、上方からの斜視図（Ｂ）、側方断面図（Ｃ）である。
【図２】同本発明の圧着端子用コンタクト１の正面図、平面図（Ｂ）、側面図（Ｃ）である。
【図３】同本発明に係る平行タイプの圧着端子用コンタクト２の全体斜視図（Ａ）、上方からの斜視図（Ｂ）、側方断面図（Ｃ）である。
【図４】同本発明の圧着端子用コンタクト２の正面図、平面図（Ｂ）、側面図（Ｃ）である。
【図５−Ａ】圧着端子用コンタクト１にケーブル３の圧着端子４を挿入して挟持させた状態の上方からの斜視図（Ａ）、同斜視図（Ｂ）である。
【図５−Ｂ】同圧着端子用コンタクト１にケーブル３の圧着端子４を挿入して挟持させた状態で、理解容易のためにコンタクト１の接続用端子１ｂを省いて示す斜視図である。
【図６−Ａ】圧着端子用コンタクト２にケーブル３の圧着端子４を挿入して挟持させた状態の斜視図である。
【図６−Ｂ】同圧着端子用コンタクト２にケーブル３の圧着端子４を挿入して挟持させた状態で、理解容易のためにコンタクト２の接続用端子２ｂを省いて示す斜視図である。
【図７】圧着端子用コンタクト１を有してなるケーブル用電気コネクタ５に、圧着端子４を挿入して接続する様子を示す使用状態斜視図（Ａ），（Ｂ）である。
【図８】ケーブル用電気コネクタ５の正面図（Ａ）、平面図（Ｂ）、側方断面図（Ｃ）である。
【図９】ケーブル用電気コネクタ５の使用状態を示す断面図（Ａ），（Ｂ）である。
【図１０】圧着端子用コンタクト２を有してなるケーブル用電気コネクタ６に、圧着端子４を挿入して接続する様子を示す使用状態斜視図（Ａ），（Ｂ）である。
【図１１】ケーブル用電気コネクタ６の正面図（Ａ）、平面図（Ｂ）、側方断面図（Ｃ）である。
【図１２】ケーブル用電気コネクタ６の使用状態を示す断面図（Ａ），（Ｂ）である。
【図１３】圧着端子用コンタクト１，２の一部の他の実施例にかかる詳細拡大断面図である。
【図１４−Ａ】異種（垂直タイプと平行タイプ）の圧着端子用コンタクトを有したケーブル用電気コネクタ７ａに係る、手前側からの斜視図（Ａ）と、後方側からの斜視図（Ｂ）とである。
【図１４−Ｂ】平行タイプの圧着端子用コンタクトを上下に対称に重ねて一体化したケーブル用電気コネクタ７ｂに係る、手前側からの斜視図（Ａ）と、後方側からの斜視図（Ｂ）とである。
【図１５−Ａ】垂直中継ケーブル用電気コネクタ８ａの、ケーブル３を接続前状態の斜視図（Ａ）と、ケーブル３を中継ケーブル用電気コネクタ８ａに接続した状態の斜視図（Ｂ）である。
【図１５−Ｂ】他の実施例に係る垂直中継ケーブル用電気コネクタ８ｂの、ケーブル３を接続前状態の斜視図（Ａ）と、ケーブル３を垂直中継ケーブル用電気コネクタ８ｂに接続した状態の斜視図（Ｂ）である。
【図１６−Ａ】ケーブル２：２の垂直中継ケーブル用電気コネクタ９ａの、ケーブル３を接続前状態の斜視図（Ａ）と、ケーブル３を垂直中継ケーブル用電気コネクタ９ａに接続した状態の斜視図（Ｂ）である。
【図１６−Ｂ】ケーブル２：１の垂直中継ケーブル用電気コネクタ９ｂの、ケーブル３を接続前状態の斜視図（Ａ）と、ケーブル３を垂直中継ケーブル用電気コネクタ９ｂに接続した状態の斜視図（Ｂ）である。
【図１７−Ａ】ケーブル２：２の平行中継ケーブル用電気コネクタ１０ａの、ケーブル３を接続前状態の斜視図（Ａ）と、ケーブル３を平行中継ケーブル用電気コネクタ１０ａに接続した状態の斜視図（Ｂ）である。
【図１７−Ｂ】ケーブル２：１の平行中継ケーブル用電気コネクタ１０ｂの、ケーブル３を接続前状態の斜視図（Ａ）と、ケーブル３を平行中継ケーブル用電気コネクタ１０ｂに接続した状態の斜視図（Ｂ）である。
【図１８−Ａ】ケーブル２：２で異種タイプの圧着端子用コンタクトを有した中継ケーブル用電気コネクタ１１ａの、ケーブル３を接続前状態の斜視図（Ａ）と、ケーブル３を前記中継ケーブル用電気コネクタ１１ａに接続した状態の斜視図（Ｂ）である。
【図１８−Ｂ】ケーブル２：１で異種タイプの圧着端子用コンタクトを有した中継ケーブル用電気コネクタ１１ｂの、ケーブル３を接続前状態の斜視図（Ａ）と、ケーブル３を中継ケーブル用電気コネクタ１１ｂに接続した状態の斜視図（Ｂ）である。
【発明を実施するための形態】
【００１６】
本発明に係る圧着端子用コンタクト１，２は、図１に示すように、ケーブル３の圧着端子４を挟持して、該圧着端子４の挿入作用により係止片が自動で係止作用し、接続操作のワンタッチでロック作用するように構成したものである。
【実施例１】
【００１７】
本発明に係る圧着端子用コンタクト１，２とケーブル用電気コネクタ５，６とを、図面を参照して説明する。まず、圧着端子用コンタクト１の構成について説明する。なお、圧着端子４は、ネジ止め用の丸孔、若しくは、スリットが形成されてなるものがあるが、何れも、圧着端子用コンタクトの係止作用としては同じ技術的思想であるので、丸孔タイプの圧着端子４で説明する。なお、スリットタイプの圧着端子である場合には、スリットの根元の細くなった首部分に係止作用するように設計するものである。
【００１８】
前記圧着端子用コンタクト１は、図１（Ａ）〜（Ｃ）に示すように、平板体で取付用の丸孔４ａが設けられている圧着端子４を電気的に接続させるためのコンタクトである。そして、前記圧着端子４を載置する平板状の基部１ａがある。
【００１９】
前記基部１ａに平行にして一方向から挿入され当該基部１ａ上に載置される前記圧着端子４を挟持するように形成される弾性片で、その先端に前記圧着端子４に付勢力で押圧されて電気的に接続される半円下凸状の接続部が形成されている接続用端子１ｂがある。
【００２０】
前記圧着端子４が前記基部１ａに平行に挿入される際に、該圧着端子４によって付勢力に抗して前記基部１ａより下面に押し下げられ、前記圧着端子４が所定の位置（切起し部１ｆの上、図９（Ａ），（Ｂ）参照）に至ると付勢力によって前記基部１ａから上面に突出されて、前記圧着端子４の丸孔４ａに係止して、当該圧着端子４の抜け止め部材とすべく、基部１ａの上面から直交する方向に切り起こされた切起し部１ｆを有する抜止め係止片１ｅがある。
【００２１】
更に、前記圧着端子４と前記抜止め係止片１ｅとの係止状態を解除するように設けられている弾性係止解除片１ｈとを少なくとも有して、圧着端子用コンタクト１が形成されている。なお、符号１ｃ，１ｄは、プリント基板などに半田付けされる基板用端子を示している。
【００２２】
また、前記抜止め係止片１ｅの切起し部１ｆには、圧着端子４が基部１ａに平行に挿入されたときに、該圧着端子４の板厚の側壁４ｂに当接され、付勢力に抗して切起し部１ｆが前記基部１ａの上面以下に押し下げられるようにする、テーパ部１ｇが設けられている。
【００２３】
前記弾性係止解除片１ｈは、抜止め係止片１ｅの先端部であって、圧着端子４が圧着端子用コンタクト１に挿入される挿入部と反対の奥側において、基部１ａの平坦面に直交する方向に立設して形成されると共に、該立設された部分の立設部１ｊが、基部１ａと接続用端子１ｂとの間に挿入された圧着端子４の行き止めとなる行き止め部として兼用されている（図２（Ｃ）、図９（Ｂ）参照）。
【００２４】
以上の様にして、図１乃至図２に示す圧着端子用コンタクト１が形成され、図５−Ａ（Ａ），（Ｂ）に示すように、ケーブル３の圧着端子４が、前方から基部１ａと接続端子１ｂとの間で、平板状の基部１ａに沿って平行に差し込まれ、弾性係止解除片１ｈの立設部１ｊに当接して行き止めとなる。
【００２５】
この過程で、抜止め係止片１ｅの切起し部１ｆが、前記圧着端子４の側壁４ｂが通過する際に、該側壁４ｂがテーパ部１ｇに摺接して付勢力に抗して抜止め係止片１ｅを押し下げていた状態から、丸孔４ａが切起し部１ｆ上に移動してきたことで、その丸孔４ａに前記切起し部１ｆが落とし込まれて基部１ａの上面から突出する。
【００２６】
これで、圧着端子４が基部１ａと接続端子１ｂとで挟持されると共に、前記切起し部１ｆによって、圧着端子４が移動できないように係止されて、前方への抜け止めとなる。
【００２７】
このように、圧着端子用コンタクト１は、圧着端子４の挿入方向と、これに直交する方向に抜止め係止片１ｆが移動し、該抜止め係止片１ｆを係止解除させる方向も前記挿入方向に対して直交しているので、垂直タイプのコンタクトである。
【実施例２】
【００２８】
次に、図３乃至図４に示すように、圧着端子４の挿入方向に対して、これに直交する方向に抜止め係止片が移動するが、該抜止め係止片を係止解除させる方向が、前記挿入方向に対して平行にされている、平行タイプコンタクトである圧着端子用コンタクト２について説明する。
【００２９】
この平行タイプの圧着端子用コンタクト２は、前記圧着端子用コンタクト１に対して抜止め係止片の構造が異なる。圧着端子用コンタクト２における基部２ａ、接続端子２ｂ、基板用端子２ｃ，２ｄは、前記圧着端子用コンタクト１と形状・作用とも同様である。
【００３０】
一方、抜止め係止片２ｅは、図３（Ｃ）に示すように、基部２ａと後部で繋がっており、切起し部２ｆは圧着端子用コンタクト１の切起し部１ｆと同じ位置で同形状であるが、弾性係止解除片２ｈは、抜止め係止片２ｅの先端部であって、圧着端子４がコンタクト２に挿入される挿入部２ｋの近傍に形成される。
【００３１】
そして、前記圧着端子４と平行で且つ下側で、前記挿入部２ｋに挿入される解除用治具（例えば、マイナスドライバー、ピン等、図示せず））によって、付勢力に抗して切起し部２ｆが前記基部２ａの上面以下に押し下げらるように押圧される、テーパ状の腕部に形成された弾性係止解除片２ｈである。
【００３２】
前記圧着端子用コンタクト２により、図６−Ａ乃至図６−Ｂに示すように、ケーブル３の圧着端子４が装着され、弾性係止解除片２ｈが圧着端子用コンタクト２の前部分で圧着端子４の下に配置される。なお、前記弾性係止解除片２ｈがコンタクトの前部分に配置されたので、圧着端子４の行き止めとしての立設部２ｊは、例えば、図１２（Ａ）に示すように、切起し部２ｆの後方の位置で、抜止め係止片２ｅの一部を切り起こして、形成するようにしても良い。
【実施例３】
【００３３】
前記圧着端子用コンタクト１を絶縁ハウジング５ｃに固着する、垂直タイプのコネクタであるケーブル用電気コネクタ５について説明する。図７乃至図９に示すように、ケーブル用電気コネクタ５は、垂直タイプの圧着端子用コンタクト１を絶縁ハウジング５ｃに一体に固定して、形成される。
【００３４】
そこで、前記ケーブル用電気コネクタ５は、図８に示すように、前方の側壁から後方へと延びる挿入用開口部５ａが形成され、絶縁ハウジング５ｃの後方の上部には、前記挿入用開口部５ａの方向に直交して、圧着端子用コンタクト１の弾性係止解除片１ｈを押圧するため解除治具を挿入する、一例として５×３ｍｍ程度の孔である解除用開口部５ｂが形成されている。
【００３５】
このように、ケーブル用電気コネクタ５は、合成樹脂製の絶縁ハウジング５ｃに一体的に有する電気コネクタであって、ケーブル３の圧着端子４を前記圧着端子用コンタクト１に挟持させるために挿入させる挿入用開口部５ａと、ケーブル４の脱着時には前記圧着端子用コンタクト１の弾性係止解除片１ｈを解除用治具（図示せず）で解除操作するために、前記挿入用開口部５ａの挿入方向と直交する方向に開口された解除用開口部５ｂを有するものである。
【００３６】
前記ケーブル用電気コネクタ５によれば、図９（Ａ），（Ｂ）に示すように、ケーブル３の圧着端子４が、ケーブル用電気コネクタ５の挿入用開口部から後方へと挿入される。すると、前記圧着端子４の先頭部分の側壁４ｂが切起し部１ｆのテーパ部１ｇに当接して押し込み、抜止め係止片１ｅが下方向に押し下げられる。
【００３７】
前記圧着端子４を更に後方へ押し込むと、図９（Ｂ）に示すように、丸孔４ａが切起し部１ｆの上に至るので、当該切起し部１ｆが付勢力によって上に落ち込んで跳ね上がる。これにより、切起し部１ｆによって圧着端子４の丸孔４ａの側壁が衝突して、前方への抜け止め作用が発揮される。
【００３８】
そして、解除用開口部５ｂからマイナスドライバーなどの解除用治具を押し込み、弾性係止解除片１ｈを下に押し込むと、前記切起し部１ｆが抜止め係止片１ｅとともに下に移動せしめられて、該切起し部１ｆの圧着端子４に対する係止作用が解除され、前記ケーブル３の圧着端子４は、前方へ脱着が可能となる。
【実施例４】
【００３９】
前記圧着端子用コンタクト２を絶縁ハウジング６ｃに一体に固定する、平行タイプのコネクタであるケーブル用電気コネクタ６について説明する。図１０乃至図１２に示すように、ケーブル用電気コネクタ６は、平行タイプの圧着端子用コンタクト２を絶縁ハウジング６ｃに一体に固定して、形成される。
【００４０】
このケーブル用電気コネクタ６に、図１１に示すように、前方の側壁から後方へと延びる挿入用開口部６ａが形成されるとともに、前記挿入用開口部６ａの下位置でこれと平行にして、圧着端子用コンタクト２の弾性係止解除片２ｈを押圧するため解除治具を挿入するための孔である、解除用開口部６ｂが形成されている。
【００４１】
前記ケーブル用電気コネクタ６によれば、図１２（Ａ），（Ｂ）に示すように、ケーブル３の圧着端子４が、ケーブル用電気コネクタ６の挿入用開口部から後方へと挿入される。すると、前記圧着端子４の先頭部分の側壁４ｂが切起し部２ｆのテーパ部２ｇに当接して押し込み、抜止め係止片２ｅが下方向に押し下げられる。
【００４２】
前記圧着端子４を更に後方へ押し込むと、図１２（Ｂ）に示すように、丸孔４ａが切起し部２ｆ上に至るので、該切起し部２ｆが付勢力によって上に落ち込んで跳ね上がる。これにより、切起し部２ｆの一部に圧着端子４の丸孔４ａの側壁が衝突して係止され、前方への抜け止め作用が発揮される。
【００４３】
そして、ケーブル３の下側において、解除用開口部６ｂからドライバーなどの解除用治具を押し込み、テーパ状の弾性係止解除片２ｈを下に押し込むと、前記切起し部２ｆが抜止め係止片２ｅとともに下に移動せしめられて、該切起し部２ｆの圧着端子４に対する係止作用が解除され、前記ケーブル３の圧着端子４は、前方へ脱着が可能となる。
【実施例５】
【００４４】
本発明に係る圧着端子用コンタクト１，２における他の実施例について説明する。図１３に示すように、圧着端子用コンタクト１，２における切起し部１ｆ，２ｆの当て板部分が、圧着端子４が前方向に抜け難くなるように、圧着端子４の板厚方向の側壁に対して傾斜しているのである。これにより、切起し部１ｆ，２ｆの上部が、丸孔４ａの側壁に当接するようになる。
【実施例６】
【００４５】
本発明に係るケーブル用電気コネクタ５，６の他の使用例について説明する。これらは、圧着端子用コンタクトの垂直と平行タイプの同種・異種の組み合わせや、基板等への基板実装タイプ用の電気コネクタや、ケーブル同士の中継において異なるケーブル数の接続などにおける変形タイプの電気コネクタである。
【００４６】
まず、図１４−Ａに示すように、垂直タイプのケーブル用電気コネクタ５と平行タイプのケーブル用電気コネクタ６を上下に重ねてプリント基板上などに実装する２連ＤＩＰタイプのケーブル用電気コネクタ７ａである。
【００４７】
次に、図１４−Ｂに示すように、平行タイプのケーブル用電気コネクタ６を上下に２連重ねた平行２連ＤＩＰタイプのケーブル用電気コネクタ７ｂとするものである。更に、図１５−Ａに示すように、垂直タイプのケーブル用電気コネクタ５を中継用に一連に繋げた形の中継用ケーブル用電気コネクタ８ａである。
【００４８】
また、図１５−Ｂに示すように、垂直タイプのケーブル用電気コネクタ５の解除用開口部を、絶縁ハウジングの側壁に設けた場合で中継用に形成した、ケーブルが１：１の中継用ケーブル用電気コネクタ８ｂもある。
【００４９】
図１６−Ａに示すように、垂直タイプのケーブル用電気コネクタを上下２連にして、更に、ケーブル２：２の中継用に形成した２連中継ケーブル用電気コネクタ９ａと、図１６−Ｂに示すように、ケーブル２：１の中継用の中継ケーブル用電気コネクタ９ｂとするものである。
【００５０】
図１７−Ａに示すように、平行タイプのケーブル用電気コネクタを上下２連にして、更に、ケーブル２：２の中継用に形成した２連中継ケーブル用電気コネクタ１０ａと、図１６−Ｂに示すように、ケーブル２：１の中継用の中継ケーブル用電気コネクタ１０ｂとするものである。
【００５１】
図１８−Ａに示すように、垂直タイプと平行タイプの異種圧着端子用コンタクトを上下に重ねたケーブル用電気コネクタを、更に、中継用に一連に繋げたものであるケーブル２：２の中継用ケーブル用電気コネクタ１１ａと、図１８−Ｂに示すように、ケーブル２：１の中継ケーブル用電気コネクタ１１ｂとするものである。
【００５２】
このように、ケーブル用電気コネクタ５、６の変形例として種々提案されるものであるが、何れも、基板用端子１ｃ，１ｄの部分を適宜に変形・一体化等させて、電気的接続を図るものである。
【産業上の利用可能性】
【００５３】
本発明に係る圧着端子用コンタクト１，２とケーブル用電気コネクタ５，６とによれば、圧着端子４付きのケーブル３をコネクタ５，６にワンタッチで簡単に、且つ、確実に装着することができるので、ネジ止め作業が困難な場所や、熟練度に影響されず、確実な接続にしたい通信機器などの中継用、基板接続用に広く適用できるものである。
【符号の説明】
【００５４】
１          圧着端子用コンタクト、            １ａ        基部、
１ｂ        接続端子、                        １ｃ        基板用端子、
１ｄ        基板用端子、                      １ｅ        抜止め係止片、
１ｆ        切起し部、                        １ｇ        テーパ部、
１ｈ        弾性係止解除片、                  １ｊ        立設部、
１ｋ        挿入部、  
２          圧着端子用コンタクト、            ２ａ        基部、
２ｂ        接続端子、                        ２ｃ        基板用端子、
２ｄ        基板用端子、                      ２ｅ        抜止め係止片、
２ｆ        切起し部、                        ２ｇ        テーパ部、
２ｈ        弾性係止解除片、                  ２ｊ        立設部、
２ｋ        挿入部、
３          ケーブル、
４          圧着端子、                        ４ａ        丸孔、
４ｂ        側壁、
５          ケーブル用電気コネクタ、          ５ａ        挿入用開口部、
５ｂ        解除用開口部、                    ５ｃ        絶縁ハウジング、
６          ケーブル用電気コネクタ、          ６ａ        挿入用開口部、
６ｂ        解除用開口部、                    ６ｃ        絶縁ハウジング、
７ａ        垂直平行コンボ２連ＤＩＰタイプのケーブル用電気コネクタ、  
７ｂ        平行２連ＤＩＰタイプのケーブル用電気コネクタ、
８ａ        ケーブル１：１の垂直中継ケーブル用電気コネクタ、    
８ｂ        ケーブル１：１の垂直中継ケーブル用電気コネクタ、
９ａ        ケーブル２：２の垂直中継ケーブル用電気コネクタ、
９ｂ        ケーブル２：１の垂直中継ケーブル用電気コネクタ、
１０ａ      ケーブル２：２の平行中継ケーブル用電気コネクタ、
１０ｂ      ケーブル２：１の平行中継ケーブル用電気コネクタ、
１１ａ      ケーブル２：２の垂直平行コンボ中継ケーブル用電気コネクタ、
１１ｂ      ケーブル２：１の垂直平行コンボ中継ケーブル用電気コネクタ。
【図１】
2015118790.tif 000003
【図２】
2015118790.tif 000004
【図３】
2015118790.tif 000005
【図４】
2015118790.tif 000006
【図５−Ａ】
2015118790.tif 000007
【図５−Ｂ】
2015118790.tif 000008
【図６−Ａ】
2015118790.tif 000009
【図６−Ｂ】
2015118790.tif 000010
【図７】
2015118790.tif 000011
【図８】
2015118790.tif 000012
【図９】
2015118790.tif 000013
【図１０】
2015118790.tif 000014
【図１１】
2015118790.tif 000015
【図１２】
2015118790.tif 000016
【図１３】
2015118790.tif 000017
【図１４−Ａ】
2015118790.tif 000018
【図１４−Ｂ】
2015118790.tif 000019
【図１５−Ａ】
2015118790.tif 000020
【図１５−Ｂ】
2015118790.tif 000021
【図１６−Ａ】
2015118790.tif 000022
【図１６−Ｂ】
2015118790.tif 000023
【図１７−Ａ】
2015118790.tif 000024
【図１７−Ｂ】
2015118790.tif 000025
【図１８−Ａ】
2015118790.tif 000026
【図１８−Ｂ】
2015118790.tif 000027